(57)【要約】【課題】  本発明では短尺の内蔵フェルールを有する光レセプタクルに挿入したプラグフェルールに強いモーメントが作用した場合の、内蔵フェルールの光ファイバーからプラグフェルールの光ファイバーに伝達する光パワーの変化を小さくすることを可能とする。  【解決手段】  本発明では、第二の弾性スリーブの外周に把持リングを圧入することで、短尺の内蔵フェルールと第一の弾性スリーブと第二の弾性スリーブを同軸に一括固定すると同時に、第一の弾性スリーブの局所的な拡張変形をしやすい部分を、第一の弾性スリーブの外周に密着した第二の弾性スリーブが補強する構造とした。【選択図】  図１
2007072255.tif 000002
【特許請求の範囲】
【請求項１】
プラグフェルールが装着される光レセプタクルであって、中空円筒状で、径方向に弾性収縮しやすいフェルール挿入用内孔を有する第一の弾性スリーブと、第一の弾性スリーブ基端内孔に挿入された内蔵フェルールと、中空円筒状で、径方向に弾性収縮しやすく第一の弾性スリーブの外周を把持する第二の弾性スリーブと、第二の弾性スリーブ基端外周に圧入された把持リングと、第一の弾性スリーブ及び第二の弾性スリーブを収納するスリーブケースとからなり、内蔵フェルールと第一の弾性スリーブと第二の弾性スリーブが把持リングの圧入による圧力で一体固定されており、第一の弾性スリーブと第二の弾性スリーブの、基端部の自由な変形が把持リングにより拘束されており、第一の弾性スリーブと第二の弾性スリーブの把持リングが把持していない外周と、スリーブケースの間に隙間があることを特徴とする光レセプタクル。
【請求項２】
第一の弾性スリーブと第二の弾性スリーブが、すり割を有する割スリーブであって、第一の弾性スリーブのすり割と、第二の弾性スリーブのすり割が重ならないように配したことを特徴とする請求項１記載の光レセプタクル
【発明の詳細な説明】
【技術分野】
【０００１】
本発明は、光ファイバーと光半導体を光学的に接続するコネクタ機構に係り、内蔵フェルールが短尺で、特に小型光モジュール等に好適な、プラグフェルールに強いモーメントが作用した場合でも伝達する光パワーの変動が少ない光レセプタクルに関する。
【背景技術】
【０００２】
従来の光レセプタクルは、弾性スリーブと内蔵フェルールを把持リングが一括して同軸把持することで接続性能の安定化と内蔵フェルールの大幅な短尺化を実現している。（例えば、特許文献１参照。）。 通常、光レセプタクルに接続する光コネクタプラグのプラグフェルールはプラグハウジングの中でフロートしており光ケーブルやプラグハウジングに外力がかかってもプラグフェルールに力が伝達しないようになっているが、特殊な例としてはプラグフェルールとプラグハウジングのフロート構造が不完全な設計の光コネクタプラグがある。
光レセプタクルに挿入された光コネクタプラグのフロート構造が不完全な設計の場合、光ケーブルやプラグハウジングに強い外力がかかるとプラグフェルールに力が伝達し、軸に対して直角方向の強いモーメントが作用する。するとプラグフェルールと内蔵フェルールが接触する部分に近いプラグフェルールの外周の先端部分が弾性スリーブの内孔円筒面を強く押して弾性スリーブを局所的に変形させ、内蔵フェルールの光ファイバーとプラグフェルールの光ファイバーが軸ずれを起こして、伝達する光パワーが変動するという問題があった。
特に弾性スリーブがすり割を有する割スリーブで、プラグフェルールの外周の先端部分が割スリーブのすり割部分を押し広げる方向でプラグフェルールに強いモーメントがかかると、割スリーブのすり割近傍が局所的に外側に開き、内蔵フェルールの光ファイバーとプラグフェルールの光ファイバーが軸ずれを起こして伝達する光パワーが変動しやすいという問題があった。
【０００３】
【特許文献１】特開平１０−３３２９８８号公報（第４頁、第１図）
【発明の開示】
【発明が解決しようとする課題】
【０００４】
本発明は、上記問題を解決するためになされたもので、本発明の課題は、フロート構造が不完全なプラグフェルールが挿入され、プラグフェルールに強いモーメントがかかった場合でも伝達する光パワーの変動が少ない、内蔵フェルールが短尺の光レセプタクルを実現することである。
【課題を解決するための手段】
【０００５】
上記目的を達成するために本発明によれば、プラグフェルールが装着される光レセプタクルであって、中空円筒状で、径方向に弾性収縮しやすいフェルール挿入用内孔を有する第一の弾性スリーブと、第一の弾性スリーブ基端内孔に挿入された内蔵フェルールと、中空円筒状で、径方向に弾性収縮しやすく第一の弾性スリーブの外周を把持する第二の弾性スリーブと、第二の弾性スリーブ基端外周に圧入された把持リングと、第一の弾性スリーブ及び第二の弾性スリーブを収納するスリーブケースとからなり、内蔵フェルールと第一の弾性スリーブと第二の弾性スリーブが把持リングの圧入による圧力で一体固定されており、第一の弾性スリーブと第二の弾性スリーブの、基端部の自由な変形が把持リングにより拘束されており、第一の弾性スリーブと第二の弾性スリーブの把持リングが把持していない外周と、スリーブケースの間に隙間があることを特徴とする光レセプタクルとした。
【０００６】
内蔵フェルールと第一の弾性スリーブと第二の弾性スリーブを、把持リングを圧力して一体固定することで、内蔵フェルールが短尺であっても強固な構造を維持でき、プラグフェルールに強いモーメントがかかってプラグフェルールと内蔵フェルールが接触する部分に近いプラグフェルールの外周の先端部分が第一の弾性スリーブの内孔円筒面を強く押して第一の弾性スリーブを変形しようとするのを第二の弾性スリーブが拘束して、内蔵フェルールの光ファイバーとプラグフェルールの光ファイバーが軸ずれを起こして伝達する光パワーが変動することを抑制できる。
【０００７】
また、本発明の好ましい態様によれば、第一の弾性スリーブと第二の弾性スリーブが、すり割を有する割スリーブであって、第一の弾性スリーブのすり割と、第二の弾性スリーブのすり割が重ならないように配することで、プラグフェルールの外周の先端部分が第一の弾性スリーブのすり割部分に押しあたる方向でプラグフェルールに強いモーメントがかかった場合でも、第一の弾性スリーブのすり割近傍が局所的に外側に開こうとするのを、第一の弾性スリーブのすり割がない部分が効果的に拘束して、内蔵フェルールの光ファイバーとプラグフェルールの光ファイバーが軸ずれを起こして伝達する光パワーが変動することを抑制できる。
【発明の効果】
【０００８】
本発明によれば、プラグフェルール先端フレネル反射を抑制するために必要な内蔵フェルールを短尺で光レセプタクルに組み込むことが出来ると同時に、フロート構造が不完全なプラグフェルールが光レセプタクルに挿入されプラグフェルールに強いモーメントがかかった場合でも、第二の弾性スリーブが第一の弾性スリーブの不正な変形を抑えてプラグフェルールの光ファイバーに伝達する光パワーの変動が少なくなるという効果がある。
【発明を実施するための最良の形態】
【０００９】
本発明の実施例を図１に示す。
金属、樹脂などがあげられるが本実施例ではジルコニアセラミックを用いた。
内蔵フェルール、第一の弾性スリーブ、第二の弾性スリーブ、把持リング、スリーブケースから構成される。
【００１０】
内蔵フェルールの中心軸には光ファイバーが装着され、プラグフェルールと接触する端面は凸球面に形成されている。反対側は軸に対して斜め平面に形成されている。内蔵フェルールに適する材質としてセラミック、ガラス、金属、樹脂などがあげられるが本実施例ではジルコニアセラミックを用いた。内蔵フェルールの外径は２．４９８５ｍｍから２．４９９５ｍｍのものを使用した。内蔵フェルールの軸方向の長さは２．５ｍｍのものを使用した。
【００１１】
光ファイバーはシングルモード光ファイバーでもマルチモード光ファイバーでもよいが本実施例ではシングルモード光ファイバーを用いた。
【００１２】
第一の弾性スリーブと第二の弾性スリーブに適する形状として、円筒状で、すり割の無いもの、両端に貫通するすり割を有するもの、一方の端から伸びるすり割がもう一方の端まで貫通していないもの、などがあげられるが本実施例では両端に貫通するすり割を有するものを用いた。
【００１３】
第一の弾性スリーブと第二の弾性スリーブに適する材質としてジルコニアセラミック、金属、樹脂などがあげられるが本実施例では第一の弾性スリーブにジルコニアセラミック、第二の弾性スリーブにはりん青銅を用いた。
【００１４】
把持リングとスリーブケースは一体でもよいが本実施例では別体とした。
把持リングとスリーブケースに適する材質として金属、樹脂などがあげられるが本実施例ではどちらもステンレス鋼を用いた。
【００１５】
本発明の実施例の組立手順を図２に示す。まず内蔵フェルールを第一の弾性スリーブの基端に挿入する。次に軸方向から見て周方向で第二の弾性スリーブのすり割が第一の弾性スリーブのすり割のほぼ反対側になるような位置関係を保ったままで第一の弾性スリーブの基端を第二の弾性スリーブに挿入する。次に内蔵フェルールと第一の弾性スリーブと第二の弾性スリーブが同軸で組合わさった基端に把持リングを９８Ｎないし９８０Ｎの圧入強さで圧入する。
最後に内蔵フェルールと第一の弾性スリーブと第二の弾性スリーブと把持リングを同軸で組合わせたものをスリーブケースに圧入する。
【００１６】
【表１】
2007072255.tif 000003
【００１７】
従来の光レセプタクル並びに実施例１の光レセプタクルにレンズとレーザーダイオードを溶接固定して、光レセプタクルに挿入したプラグフェルールのシングルモード光ファイバーに伝達する光パワーをモニターしながら、プラグフェルールのフランジに、軸に対して直角に荷重をかけて、光パワーの変化量を測定した値を表１に示す。また比較例として従来の光レセプタクルによる同様な測定値を併記する。ここでは５Ｎの力をＬ＝１４mmの位置にかけた。
その結果、従来の光レセプタクルに対し、実施例１の光レセプタクルでは光パワーの変化量を低く抑えることが出来た。
【図面の簡単な説明】
【００１８】
【図１】本発明の実施例に示す光レセプタクルの構成図である。
【図２】本発明の実施例に示す光レセプタクルの弾性スリーブが割スリーブである場合の、第一の割スリーブのすり割と第二の弾性スリーブのすり割の相対的位置関係を示す図である。
【図３】本発明の実施例に示す光レセプタクルにプラグフェルールが挿入された図である。
【図４】従来の光レセプタクルの構成図である。
【図５】従来の光レセプタクルにプラグフェルールが挿入され、プラグフェルールに強いモーメントが作用した際、弾性スリーブが局所的に変形することを示す図である。
【図６】本発明の実施例に示す光レセプタクルに取り付けたレーザーダイオードからプラグフェルールに伝達する光パワーをモニターしながら、プラグフェルールに強いモーメントを作用して、光パワーの変化量を測定する構成を示す図である。
【符号の説明】
【００１９】
１…把持リング
２…内蔵フェルール
３…第一の弾性スリーブ
４…第二の弾性スリーブ
５…スリーブケース
６…第一の弾性スリーブのすり割の位置
７…第二の弾性スリーブのすり割の位置
８…プラグフェルール
９…光ファイバー
【図１】
2007072255.tif 000004
【図２】
2007072255.tif 000005
【図３】
2007072255.tif 000006
【図４】
2007072255.tif 000007
【図５】
2007072255.tif 000008
【図６】
2007072255.tif 000009